(57)【要約】【課題】ポスターやチラシ等の印刷物をガラス窓やガラスドア等の透明な対象物の屋内側面において容易に交換できる印刷物収納ファイルを提供する。【解決手段】透明ビニール等の透明なシートを貼り合わせて、一部に開口部をもうけたファイルにポスターやチラシ等の印刷物を収納して、ガラス窓やガラスドア等の透明な対象物の屋内側面に両面テープ等の接着部材により貼り付ける。【選択図】図４
0003158542.tif 000002
【実用新案登録請求の範囲】
【請求項１】
透明ビニール等の透明なシートを貼り合わせて、一部に開口部をもうけたファイルであって、該ファイルにポスターやチラシ等の印刷物を収納して、ガラス窓やガラスドア等の透明な対象物の屋内側面に接着部材により貼り付けるようにしたことを特徴とする印刷物収納ファイル。
【請求項２】
前記透明ビニール等の透明なシートには、複数箇所に略楕円形の空孔がもうけられていることを特徴とする請求項１に記載の印刷物収納ファイル。
【考案の詳細な説明】
【技術分野】
【０００１】  本考案は、印刷物収納ファイルに関し、特に、ポスターやチラシ等の印刷物をガラス窓やガラスドア等の透明な対象物の屋内側面に貼り付けて用いられる印刷物収納ファイルに関する。
【背景技術】
【０００２】  ポスターやチラシ等の印刷物をガラス窓やガラスドア等の透明な対象物に貼り付けてする広告方法は、外向きと内向きの両面を活用できるため、通行人や来訪者に対する広告方法として有効である。【０００３】  ただし、ポスターやチラシ等の印刷物をガラス窓やガラスドア等の透明な対象物の屋外側面に貼り付けると、風雨・日照等によって、該印刷物が劣化するし、また、不心得者により、印刷物に落書きがされたり、破られたり等するおそれがあるので、ポスターやチラシ等の印刷物は、ガラス窓やガラスドア等の透明な対象物の屋内側面に貼り付けられることが必要である。【０００４】  しかし、ポスターやチラシ等の印刷物をガラス窓やガラスドア等の透明な対象物の屋内側面に貼り付けるとしても、印刷物を、テープやのり等で、直接、ガラス窓やガラスドア等の透明な対象物に貼り付ける場合、剥がす作業が容易ではなく、貼り付けたり剥がしたりする作業を繰り返すうちに、テープやのり等が経時劣化してこれらのガラス窓等にこびりついてしまい美観を損なうという問題がある。【０００５】  そこで、このような問題を解決するため、例えば、特許文献１、２に示すようなマグネットラバー付クリアケースが提案されている。【０００６】
【特許文献１】実用新案登録第３０７８９１６号公報
【特許文献２】実用新案登録第３１４６２２０号公報
【考案の開示】
【考案が解決しようとする課題】
【０００７】  しかしながら、これら特許文献に記載されるマグネットラバー付クリアファイルにガラス窓やガラスドア等には用いることができない。【０００８】  従って、本考案の目的は、ポスターやチラシ等の印刷物をガラス窓やガラスドア等の透明な対象物の屋内側面において容易に交換できる印刷物収納ファイルを提供することにある。
【課題を解決するための手段】
【０００９】  本考案は、上記の目的を達成するために、透明ビニール等の透明なシートを貼り合わせて、一部に開口部をもうけたファイルであって、該ファイルにポスターやチラシ等の印刷物を収納して、ガラス窓やガラスドア等の透明な対象物の屋内側面に接着部材により貼り付けるようにしたことを特徴とする印刷物収納ファイルを提供するものである。【００１０】
【考案の効果】
【００１１】  本考案は、上記の目的を達成するために、透明ビニール等の透明なシートを貼り合わせて、一部に開口部をもうけたファイルであって、該ファイルにポスターやチラシ等の印刷物を収納して、ガラス窓やガラスドア等の透明な対象物の屋内側面に接着部材により貼り付けるようにしたことを特徴とするため、風雨・日照等によって、該印刷物が劣化するし、また、不心得者により、印刷物に落書きがされたり、破られたり等するおそれがないことはもとより、該ファイル自体を予めガラス窓やガラスドア等の透明な対象物に貼り付けて、印刷物を該ファイルに出し入れするだけであるので、直接、印刷物を張ったり剥がしたりする作業に比して、印刷物の交換作業が極めて容易である。【００１２】  また、ガラス窓やガラスドア等の透明な対象物の屋内側面にガラス窓やガラスドア等の透明な対象物の屋内側面に貼り付けるとはいえ、直接、貼り付けられた印刷物は、空調、室内照明、塵埃により影響を受け劣化する程度が大きいが、本考案においては、印刷物はファイルに収納されるために、空調、室内照明、塵埃による影響を受けにくく、劣化の程度が小さい。【００１３】  さらに、ガラス窓やガラスドア等の透明な対象物の屋内側面に直接貼り付ける場合には、貼り付け方により、あるいは時間の経過により印刷物にゆがみが生じてくるため、見栄えが悪くなるが、本考案においては、印刷物はファイルに収納されるために、かかるゆがみは生じず、すっきりきれいに見える。【００１４】  またさらに、ファイル自体が印刷による表現が可能なのでフレーム部分に例えば、企業のロゴを印刷することにより、恒常的に企業名のアピールをしたり、内容物であるチラシやポスターと一体化したコーポレートカラーの訴求をすることも可能である。【００１５】  加えて、ファイルのシートには複数の略楕円形の空孔がもうけられているため、人指を使って印刷物をすり動かすことができ、印刷物の出し入れが極めて容易である。
【考案を実施するための最良の形態】
【００１６】  以下、図面を参照しながら、本実施の形態に係る印刷物収納ファイルを詳細に説明する。【００１７】  図１は、本実施の形態に係る印刷物収納ファイルの正面図である。
本印刷物収納ファイルは、風雨・日照等によって、該印刷物が劣化するし、また、不心得者により、印刷物に落書きがされたり、破られたり等するおそれがあるため、ガラス窓やガラスドア等の透明な対象物の屋内側に貼り付けられることを前提としているので、「正面」とは、屋内側から見た面を指す。【００１８】  図に示す、この印刷物収納ファイル１００は、２枚の透明ビニール等の透明なシートを貼り合わせてなるものであるが、その外縁部２０には、ガラス窓やガラスドア等の透明な対象物に接着するための、両面テープ等の接着部材を貼り付けるため、いわば目隠しとしてシルク印刷等により、着色したり、カッティングシートをさらに透明なシートの上から貼り付けることにより美観をよくすることが可能である。【００１９】  なお、接着部材としては、接着剤、両面テープ等が考えられるが、印刷物収納ファイルの素材によっては吸盤によりカラス窓等に接着されてよい。【００２０】  また、シートには４カ所の略楕円形の空孔がもうけられているため、人指を使って印刷物をすり動かすことができ、印刷物の出し入れが極めて容易である。【００２１】  図２は、本実施の形態に係る印刷物収納ファイルの背面図である。
本印刷物収納ファイルは、ガラス窓やガラスドア等の透明な対象物の屋内側に貼り付けられることを前提としているので、「背面」とは、屋外側から見た面を指す。【００２２】  図３は、本実施の形態に係る印刷物収納ファイルの構成図であり、側方から見た図である。
内面１０または外面１１のいずれかの外縁部に両面テープを付着して、両面を接着し、さらに外面１１の外縁部に両面テープを付着することにより、本印刷物収納ファイルをガラス窓やガラスドア等の透明な対象物に貼り付ける。内面が正面であり、外面が背面である。【００２３】  図４は、本実施の形態に係る印刷物収納ファイルの構成図であり、斜視図である。
【図面の簡単な説明】
【００２４】
【図１】印刷物収納ファイルの正面図である。
【図２】印刷物収納ファイルの背面図である。
【図３】本実施の形態に係る印刷物収納ファイルの構成図であり、側方から見た図である。
【図４】印刷物収納ファイルの構成図であり、斜視図である。
【符号の説明】
【００２５】１００      印刷物収納ファイル
１０        内面シート
１１        外面シート
２０        外縁部
【図１】
0003158542.tif 000003
【図２】
0003158542.tif 000004
【図３】
0003158542.tif 000005
【図４】
0003158542.tif 000006